【手続補正書】
【提出日】平成20年2月5日(2008.2.5)
【手続補正１】
【補正対象書類名】明細書
【補正対象項目名】発明の名称
【補正方法】変更
【補正の内容】
【発明の名称】デジタルデータ販売システム、デジタルデータ販売方法、及びコンピュータ・プログラム
【手続補正２】
【補正対象書類名】明細書
【補正対象項目名】特許請求の範囲
【補正方法】変更
【補正の内容】
【特許請求の範囲】
【請求項１】  コンテンツサーバーからクライアントの端末へデジタルデータを販売するデジタルデータ販売システムにおいて、
上記デジタルデータを試用する価格を設定する設定手段と、上記設定手段によって価格が設定されたデジタルデータをネットワークを介して上記端末に転送する転送手段とを上記コンテンツサーバーが有し、
上記端末において、上記デジタルデータを有料で試用できるようにしたことを特徴とするデジタルデータ販売システム。
【請求項２】  上記端末において上記デジタルデータを試用可能な期間または試用可能な回数を管理する管理手段を上記コンテンツサーバーが有し、
上記端末のユーザが上記デジタルデータを試用する期間は、試用期間または試用回数により制限されていることを特徴とする請求項１に記載のデジタルデータ販売システム。
【請求項３】  上記デジタルデータの試用に伴う課金を実行する課金手段を上記コンテンツサーバーが有し、
上記デジタルデータを試用する毎に課金処理が行われ、上記コンテンツサーバーにより許可された試用可能な期間または回数が上記デジタルデータの試用に伴って少なくされていくことを特徴とする請求項２に記載のデジタルデータ販売システム。
【請求項４】  上記課金手段は、上記デジタルデータを試用するための課金処理を最初に行い、上記デジタルデータを試用する毎に上記課金処理で定めた試用可能回数または期間を少なくしていくことを特徴とする請求項３に記載のデジタルデータ販売システム。
【請求項５】  上記管理手段は、上記デジタルデータの試用期間が終了した時に試用を一時的に不能にし、その後に上記課金手段による課金処理が行われた場合には継続して試用可能にすることを特徴とする請求項３に記載のデジタルデータ販売システム。
【請求項６】  上記課金手段は、上記デジタルデータが転送されてからの期間または試用回数により課金処理を開始することを特徴とする請求項３に記載のデジタルデータ販売システム。
【請求項７】  上記コンテンツサーバーから上記端末に上記デジタルデータを転送するときに、上記デジタルデータを一括で購入するのか、試用するのかを上記端末において選択させるようにする選択手段を上記コンテンツサーバーが有することを特徴とする請求項１〜６の何れか１項に記載のデジタルデータ販売システム。
【請求項８】  上記デジタルデータを試用した後に購入する場合に、上記デジタルデータを試用するために既に支払った金額を購入のための価格から差し引いて販売する販売手段を有することを特徴とする請求項１〜７の何れか１項に記載のデジタルデータ販売システム。
【請求項９】  上記管理手段は、上記コンテンツサーバーから上記端末にデジタルデータを転送した時点を起点とする使用期限を設け、上記使用期限を過ぎた場合は上記デジタルデータの試用の継続を不可能にすることを特徴とする請求項２に記載のデジタルデータ販売システム。
【請求項１０】  上記コンテンツサーバーから上記デジタルデータを転送する回数を制限する制限手段が上記コンテンツサーバーに設けられていることを特徴とする請求項１〜９の何れか１項に記載のデジタルデータ販売システム。
【請求項１１】  上記デジタルデータのプリントアウトを含むハードコピーを取る際に、上記課金処理で定められた試用可能回数または試用期間を少なくすることを特徴とする請求項３に記載のデジタルデータ販売システム。
【請求項１２】  上記ネットワークを介して送られる課金情報により、上記ネットワークを介して転送されるデジタルデータの試用できるか否かを上記端末が判定することを特徴とする請求項１〜１１の何れか１項に記載のデジタルデータ販売システム。
【請求項１３】  ネットワークを介して接続されたコンテンツサーバーからクライアントの端末へデジタルデータを販売するデジタルデータ販売方法において、
上記デジタルデータを試用する価格の設定と、上記設定によって価格が設定されたデジタルデータを上記ネットワークを介しての上記端末への転送を上記コンテンツサーバーが行い、
上記端末において、上記デジタルデータを有料で試用できるようにしたことを特徴とするデジタルデータ販売方法。
【請求項１４】  上記端末において上記デジタルデータを試用可能な期間または回数の管理を上記コンテンツサーバーで行い、
上記端末のユーザが上記デジタルデータを試用する期間は、一定の期間または回数に制限されていることを特徴とする請求項１３に記載のデジタルデータ販売方法。
【請求項１５】  上記デジタルデータの試用に伴う課金を実行する課金処理を上記コンテンツサーバーが行い、
上記デジタルデータを試用する毎に課金処理が行われ、上記コンテンツサーバーにより許可された試用可能な期間または回数が上記デジタルデータの試用に伴って少なくされていくことを特徴とする請求項１３または１４に記載のデジタルデータ販売方法。
【請求項１６】  上記デジタルデータを試用するための課金処理を最初に行い、上記デジタルデータを試用する毎に上記課金処理で定めた試用可能な回数または期間を少なくしていくことを特徴とする請求項１５に記載のデジタルデータ販売方法。
【請求項１７】  上記コンテンツサーバーは、上記デジタルデータの試用期間が終了した時に試用を一時的に不能にし、その後に上記課金処理が行われた場合には継続して試用可能にすることを特徴とする請求項１５に記載のデジタルデータ販売方法。
【請求項１８】  上記デジタルデータが転送されてからの期間または試用回数により課金処理を開始することを特徴とする請求項１３〜１７の何れか１項に記載のデジタルデータ販売方法。
【請求項１９】  上記コンテンツサーバーから上記端末に上記デジタルデータを転送するときに、上記デジタルデータを一括で購入するのか、試用するのかを上記端末においてユーザに選択させることを特徴とする請求項１３〜１８の何れか１項に記載のデジタルデータ販売方法。
【請求項２０】  上記デジタルデータを試用した後に購入する場合に、上記デジタルデータを試用するために既に支払った金額を購入のための価格から差し引いて販売することを特徴とする請求項１３〜１９の何れか１項に記載のデジタルデータ販売方法。
【請求項２１】  上記コンテンツサーバーは、上記コンテンツサーバーから上記端末にデジタルデータを転送した時点を起点とする使用期限を設け、上記使用期限を過ぎた場合は上記デジタルデータの試用の継続を不可能にすることを特徴とする請求項１３〜２０の何れか１項に記載のデジタルデータ販売方法。
【請求項２２】  上記コンテンツサーバーから上記デジタルデータを転送する回数を制限する処理を上記コンテンツサーバーで行うことを特徴とする請求項１３〜２１の何れか１項に記載のデジタルデータ販売方法。
【請求項２３】  上記デジタルデータのプリントアウトを含むハードコピーを取る際に、上記課金処理で定められた試用可能回数または試用期間を少なくすることを特徴とする請求項１５に記載のデジタルデータ販売方法。
【請求項２４】  上記ネットワークを介して送られる課金情報により、上記ネットワークを介して転送されるデジタルデータの試用できるか否かを上記端末が制御することを特徴とする請求項１３〜２３の何れか１項に記載のデジタルデータ販売方法。
【請求項２５】  請求項１３〜２４の何れか１項に記載の方法における各処理をコンピュータに実行させることを特徴とするコンピュータ・プログラム。
【手続補正３】
【補正対象書類名】明細書
【補正対象項目名】０００１
【補正方法】変更
【補正の内容】
【０００１】
【発明の属する技術分野】
本発明は、デジタルデータ販売システム、デジタルデータ販売方法、及びコンピュータ・プログラムに関し、特に、データに対する課金方法、更にはオンライン方式のデータ配信におけるコンテンツを一時的に取得した場合に対する課金及び販売方式に用いて好適な発明である。
【手続補正４】
【補正対象書類名】明細書
【補正対象項目名】００１４
【補正方法】変更
【補正の内容】
【００１４】
【課題を解決するための手段】
本発明のデジタルデータ販売システムは、コンテンツサーバーからクライアントの端末へデジタルデータを販売するデジタルデータ販売システムにおいて、上記デジタルデータを試用する価格を設定する設定手段と、上記設定手段によって価格が設定されたデジタルデータをネットワークを介して上記端末に転送する転送手段とを上記コンテンツサーバーが有し、上記端末において、上記デジタルデータを有料で試用できるようにしたことを特徴とする。
【手続補正５】
【補正対象書類名】明細書
【補正対象項目名】００１５
【補正方法】変更
【補正の内容】
【００１５】
本発明のデジタルデータ販売方法は、ネットワークを介して接続されたコンテンツサーバーからクライアントの端末へデジタルデータを販売するデジタルデータ販売方法において、上記デジタルデータを試用する価格の設定と、上記設定によって価格が設定されたデジタルデータを上記ネットワークを介しての上記端末への転送を上記コンテンツサーバーが行い、上記端末において、上記デジタルデータを有料で試用できるようにしたことを特徴とする。
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】変更
【補正の内容】
【００１７】
本発明のコンピュータ・プログラムは、本発明のデジタルデータ販売方法における各処理をコンピュータに実行させることを特徴とする。
【手続補正８】
【補正対象書類名】明細書
【補正対象項目名】００１８
【補正方法】変更
【補正の内容】
【００１８】
【発明の実施の形態】
以下、本発明のデジタルデータ販売システム、デジタルデータ販売方法、及びコンピュータ・プログラムの実施の形態を説明する。
図１に、本実施の形態の有効な全体システムの構成を示す。適用が好適なケースとしては、ゲームソフトの配信、ビジネスソフトの配信、写真集のような静止画データや動画データ、教育用ソフト等の販売システムが考えられるが、これに限るものではない。